(57)【特許請求の範囲】
【請求項１】
モータ軸受として中逃げ型の焼結金属体からなる含油軸受を装入したモータにおいて、モータ軸受の反出力側端に、軸線と直交する方向であって、外周放射方向に伸びる非真円形状のフランジ部を形成するとともに、該フランジ部をハウジングホルダ側の反出力側開口縁寄り内径部に形成した凹部内に嵌め合わせ結合させることによりモータ軸受を取り外し自在に構成したことを特徴とするブラシレスモータ。
【請求項２】
ハウジングホルダ側の反出力側開口縁寄り内径部に形成した凹部が、ハウジングホルダ開口端縁側に内周方向に向けた突起部を設けて非真円形状としたものである請求項１に記載のブラシレスモータ。
【請求項３】
ハウジングホルダは基盤に固定されるとともに、外周面には積層コアおよびコイルが施されているところの請求項１又は請求項２に記載のブラシレスモータ。
【請求項４】
ハウジングホルダは基盤に固定されるとともに、外周面には積層コアおよびコイルが施され、しかも該ハウジングホルダ内に圧入された軸受に保持されるモータ軸には上記積層コアの外側を覆い、しかもその内周側にマグネットを施したロータヨークを一体に取り付けてなるものであるとことの、請求項１〜３の何れか１に記載のブラシレスモータ。
【請求項５】
モータ軸の一端に回転メディアを取り付けるターンテーブルが一体に取り付けてあるスピンドルモータであるところの請求項１〜４の何れか１に記載のブラシレスモータ。
【請求項６】
モータ軸の一端にファンを取り付けてファンモータとして用いるものであるところの請求項１〜４の何れか１に記載のブラシレスモータ。
【発明の詳細な説明】
【０００１】
【産業上の利用分野】
本発明は、圧粉成形した燒結金属体からなり、モータ軸として中逃げ型の含油軸受をハウジング内に嵌装したところの、スピンドルモータをはじめとしたブラシレスモータの改良に関し、軸受の交換を可能にしてモータの耐久性を著しく向上させることを目的とする。
【０００２】
【従来の技術】
従来公知のスピンドル型モータの構造は、回転軸と軸受との摩擦抵抗を減少させ、連続回転時の温度上昇を抑制するために、例えば軸受ユニットとして内周面中央部に径大部を形成したもの（特開平１１−２９４４５７号公報）、あるいは軸受の内径面中間部に軸材と接触しない逃げを形成したもの（特公平８−６１２４号公報）等の、所謂「中逃げ型」の軸受を用いたものが主流となっている。
【０００３】
【発明が解決しようとする課題】
しかしながら、これらの中逃げ型軸受を用いたスピンドルモータは、その殆どが例えばＶＴＲやＤＶＤ−ＲＯＭあるいはＣＤ−ＲＯＭデイスクドライブ等の高精度でかつ高品位の駆動用として用いられるように設計され、経時的使用により軸受が損耗した場合には、その都度スピンドルモータ自体を交換する必要があり、前記した高品位機器類の維持管理上においてコストの上昇は免れない。  またモータそのものを廃棄することは上記したコストの上昇のみならず環境に対する大きな負荷を与えることにもなり、この点においても最大限のリサイクル率の向上が望まれるところでもある。
【０００４】
【課題を解決するための手段】
そこで本発明は、上記した従来技術における問題点を解決し、とくにＡＶや各種情報機器類等の高機能化したモータ駆動源として、耐久性と信頼性を向上させ、しかもメンテナンスコストの低減をはかるとともに、環境に負荷を与える物質および資源のリサイクル率を向上させ、エコロジーに寄与するようにしたものであり、具体的にはモータ軸受として中逃げ型の焼結金属体からなる含油軸受を装入したモータにおいて、モータ軸受の反出力側端に、軸線と直交する方向であって、外周放射方向に伸びる非真円形状のフランジ部を形成するとともに、該フランジ部をハウジングホルダ側の反出力側開口縁寄り内径部に形成した凹部、たとえばハウジングホルダ開口端縁側に内周方向に向けた突起部を設けて非真円形状とした凹部内に嵌め合わせ結合させることによりモータ軸受を取り外し自在に構成したことを特徴とするブラシレスモータに関する。
【０００８】
また本発明は、ハウジングホルダは基盤に固定されるとともに、外周面には積層コアおよびコイルが施されているところのブラシレスモータに関する。  さらに本発明は、ハウジングホルダは基盤に固定されるとともに、外周面には積層コアおよびコイルが施され、しかも該ハウジングホルダ内に圧入された軸受に保持されるモータ軸には上記積層コアの外側を覆い、しかもその内周側にマグネットを施したロータヨークを一体に取り付けてなるものである、ブラシレスモータに関する。
【０００９】
さらに本発明は、モータ軸の一端に回転メディアを取り付けるターンテーブルが一体に取り付けてあるスピンドルモータであるところのブラシレスモータに関する。さらに本発明は、モータ軸の一端にファンを取り付けてファンモータとして用いるものであるところのブラシレスモータに関する。
【００１０】
上記した構成において、ブラシレスモータの軸受が磨耗し、あるいは含浸油が消耗した場合には、モータの反出力側に取り外し自在に取り付けたカバーを取り外し、モータ軸受をモータの反出力側に引き抜いて、新しい軸受と差し替え交換し、また軸受フランジ部をハウジングホルダ側に嵌め合わせ結合してある場合には、軸受を、その軸心を中心として周方向に一定角度回転させるなどしてハウジングホルダ側の開口縁部より嵌め合わせを解除して取り外し、モータ軸受をモータの反出力側に引き抜いて、新しい軸受と差し替え交換する。
【００１１】
【発明の実施の形態】
以下において本発明の具体的な内容を、モータ軸に中逃げ型軸受を用いるとともに、軸受フランジ部をハウジングホルダ側に嵌め合わせ結合させるようにした図１のスピンドルモータの第１実施例をもとに説明すると、１はハウジングホルダ、７は軸受、１０はモータ軸をあらわす。  ハウジングホルダ１は円筒部２および該円筒部２の長さ方向一端より直交外方放射方向に延びるフランジ３とからなり、しかも該フランジ３の立上り部（付け根部）の内周面には、上記円筒部２の円筒穴開口端に、左右２箇所または３箇所等、互いに対称位置に形成された突出部５を残して凹部４が形成されている。
【００１２】
さらにハウジングホルダ１における上記した円筒部２の外周面にはコイル６ａを巻回させた積層コア６が施されている。  また軸受７は銅等の金属粉を、上記したハウジングホルダ１内に装入可能な大きさに圧粉成型した後、これを燒結し、さらに油を含浸させて構成され、しかも軸穴中間に中逃げ部９が形成されて、長さ方向両端にてモータ軸１０を支承する構成となっており、さらにその一端には長さ方向に直交する外側放射方向に向けたフランジ８が形成され、しかも該フランジ８は対称箇所を相互に平行となるように平坦部８ａを形成して非真円の構造としてある（図２参照）。
【００１３】
さらにモータ軸１０は、上記軸受７内に支承可能な外径の金属棒からなり、モータの出力側に位置する先端寄りの部分には保持材１１を介して前記積層コア６およびコイル６ａの外側を覆い、しかもその内周側であって上記した積層コア６に対応させた位置にマグネット１３を施したロータヨーク１２が一体に取り付けられているとともに、さらにその先端部にはＣＤ−ＲＯＭディスク等の回転メディアＭを載せるディスクドライブ用のターンテーブル１４が同じく一体に取り付けられて構成されている。  なお図中においてＨはホール素子をあらわす。
【００１４】
また図３には、本発明の第２実施例が示されている。  これはブラシレスモータを横置き（モータ軸１０を水平方向に向けて）にして例えば冷却用のファンモータなどとして用いるものであって、その基本的な構成については前記した第１実施例のものと同様であるが、モータの出力側に位置するモータ軸１０の先端部にはファンＦが取り付けられるとともに、モータの反出力側（モータ裏側）に位置する反対側のモータ軸端部には、外周方向に開口させた一定深さの溝１５が全周にわたり形成され、ワッシャー１６を介在させるとともに、止め輪あるいはクリップリング（Ｃリング）１７を嵌めこむことにより軸受７に安定的に保持させる構造となっており、しかもコイル６ａを巻回させた積層コア６およびその外周側に位置するロータヨーク１２の部分は外側のケーシングＣにより覆われる構造となっている。
【００１５】
前記した第１実施例の構成においては、ハウジングホルダ１のフランジ３を基盤（ＰＣＢ）Ｂに取り付け、該ハウジングホルダ１の円筒部２内にモータの反出力側から軸受７を装入し、軸受７のフランジ８を円筒部２の凹部４内に挿入させ、しかも凹部４の側壁との間にバネＳを介在させるとともに軸受７を周方向に一定角度回転させて軸受７の非真円形状をしたフランジ８を突出部５の裏側に係合させて嵌め込み保持させる。
【００１６】
さらに軸受７内にはロータヨーク１２およびターンテーブル１４が取り付けられているモータ軸１０をモータの出力側から挿通させて構成される。  また第２実施例のファンモータの場合においては、モータ軸１０の反出力側の端部にモータ軸１０の抜け止め手段として図３の状態においてモータの反出力側よりスラストワッシャー１６をモータ軸１０に装入させた後、溝１５内に止め輪あるいはクリップリング（Ｃリング）等１７を嵌め込んでファンモータを構成する。
【００１７】
なお上記の第１および第２実施例においては、モータの反出力側においてモータ軸受を取り外し自在とした構成として、モータの反出力側において、モータ軸受端に、軸線と直交する方向であって、外周放射方向に伸びるフランジ部を形成するとともに該フランジ部を非真円形状とし、これをハウジングホルダ側の開口縁部に形成した非真円形状の凹部内に嵌め合わせ結合させる等により基盤もしくは基盤に固定させる構造としたが、このほかにも例えば、とくに図示はしないがモータの反出力側に、モータ軸受およびモータ軸端を受けるカバーを取り付けるとともに、該カバーを取り外し自在に構成するようにしてもよい。
【００１８】
上記の構成において、軸受が磨耗した場合にはモータの反出力側に取り外し自在に取り付けたカバーを取り外した後、軸受をモータの反出力側に引き抜き、あるいは軸受フランジ部をハウジングホルダ側に嵌め合わせ結合してある場合には、軸受を、その軸心を中心として周方向に向け一定角度回転させるなどしてハウジングホルダ側の開口縁部より嵌め合わせを解除してモータ軸受をモータの反出力側に引き抜いて、新しい軸受と差し替え交換する。
【００１９】
【発明の効果】
本発明は上記した通り、モータ軸受として中逃げ型の軸受を装入したモータであって、モータの反出力側において軸受およびモータ軸端を受けるカバーを取り外し自在に取り付け、あるいはフランジ部をハウジングホルダ側に嵌め合わせ結合させる等により上記軸受を取り外し自在に構成したためにブラシレスモータの経時的使用により軸受が磨耗し、あるいは軸受内に含浸された潤滑油が消耗した場合において、モータの反出力側より軸受を簡単に引き抜き交換することが可能となり、とくにＡＶや各種情報機器類等の高機能化したモータ駆動源として、耐久性と信頼性を向上させ、しかもメンテナンスコストの低減をはかることができる。
【００２０】
また軸受の磨耗したモータのうち、軸受のみを容易に交換可能とすることにより、メンテナンスコストの問題のみならず、環境に対する負荷を軽減しリサイクル率を高め、エコロジーに寄与するところが大きい。  さらに軸受のフランジ部を、基盤に固定されるハウジングホルダに固定保持させる構造として、該フランジ部を非真円形状とするとともに、これをハウジングホルダ側の開口縁部に形成した凹部内に嵌め合わせ結合させる構成とした場合においては、軸受の取り外しがより一層簡単になり、軸受交換作業の迅速化およびメンテナンス性のより一層の向上をはかることができる。
【図面の簡単な説明】
【図１】本発明の第１実施例であるブラシレスモータの基盤に対する取り付け状態をあらわした拡大断面図。
【図２】軸受の拡大斜視図およびフランジ側から見た拡大平面図。
【図３】本発明の第２実施例であるファンモータの構造をあらわした拡大断面図。
【符号の説明】
１        ハウジングホルダ
２        円筒部
３        フランジ
４        凹部
５        突出部
６        積層コア
６ａ      コイル
７        軸受
８        フランジ
８ａ      平坦部
９        中逃げ部
１０      モータ軸
１１      保持材
１２      ロータヨーク
１３      マグネット
１４      ターンテーブル
１５      溝
１６      ワッシャー
１７      止め輪あるいはクリップリング
Ｍ        回転メディア
Ｆ        ファン
Ｃ        ケーシング
Ｓ        バネ
Ｈ        ホール素子
【図１】
0004504495.tif 000002
【図２】
0004504495.tif 000003
【図３】
0004504495.tif 000004